(57)【要約】【課題】使用性で優れた電気掃除機を提供する。【解決手段】塵埃を吸引するためのファンモータと、前記ファンモータに電力を供給する電源コードと、前記電源コードを巻きつけたコードリールと、前記コードリールを回転自在に保持した隔壁と、吸引した塵埃を捕集する集塵袋と、前記集塵袋を着脱自在に収納できる集塵室と、前記集塵袋に付着した塵埃を除塵するための、前記電源コードの引き出し時に回転する前記コードリールに連動して周期的に摺動する回転レバーと、前記回転動レバーに連動して周期的に動作し前記集塵袋に振動を加える振動板と、前記回転レバーに略連結し前記振動板に対し前後方向に周期的に突出陥没を繰り返す摺動レバーで構成された除塵手段を備える。【選択図】図１
2010227476.tif 000002
【特許請求の範囲】
【請求項１】
塵埃を吸引するためのファンモータと、前記ファンモータに電力を供給する電源コードと、前記電源コードを巻きつけたコードリールと、前記コードリールを回転自在に保持した隔壁と、吸引した塵埃を捕集する集塵袋と、前記集塵袋を着脱自在に収納できる集塵室と、前記集塵袋に付着した塵埃を除塵するための、前記電源コードの引き出し時に回転する前記コードリールに連動して周期的に摺動する回転レバーと、前記回転動レバーに連動して周期的に動作し前記集塵袋に振動を加える振動板と、前記回転レバーに略連結し前記振動板に対し前後方向に周期的に突出陥没を繰り返す摺動レバーで構成された除塵手段を備え、前記電源コードを引き出した時に前記摺動レバーが周期的に前記振動板を前方に押す方向に突出させる方向に動作させる構成の電気掃除機。
【請求項２】
前記回転レバーを前記隔壁に回転自在に保持させた構成の請求項１項記載の電気掃除機。
【請求項３】
前記回転レバーが前記コードリールと当接する当接部の動作軌跡上に前記回転レバーの当接部が略上方へ逃げることを防止する略円弧上のガイド部を前記隔壁上に形成した請求項１または２項記載の電気掃除機。
【請求項４】
前記振動板の略下部を前記集塵室内部の振動板取付部に保持固定させた構成の請求項１から３のいずれか１項記載の電気掃除機。
【請求項５】
前記集塵室蓋を閉めた際に、前記振動板の上端部に前記集塵室蓋に形成したリブを接触させた構成の請求項１から４のいずれか１項記載の電気掃除機。
【請求項６】
前記振動板の略下部に略矢印形状の突起と、前記振動板取付部に前記突起の接触を回避するための溝部を有する構成の請求項１から５のいずれか１項記載の電気掃除機。
【請求項７】
前記振動板には前記集塵袋に接触するための複数の除塵リブを備え、前記振動板の略中央部ほど前記除塵リブの高さを増した構成の請求項１から６のいずれか１項記載の電気掃除機。
【発明の詳細な説明】
【技術分野】
【０００１】
本発明は一般家庭で使用される電気掃除機に関するもので、特に使用性に関するものである。
【背景技術】
【０００２】
従来の電気掃除機を、図８〜図１２を用いて説明する。図８〜図１２に示す掃除機本体３９は、下ケース４０と上ケース４１とで外郭を構成し、この前記掃除機本体３９後方には塵埃を吸引するためのファンモータ４２が配設されている。前記掃除機本体３９の前方側には集塵室４３が形成され、前記集塵室４３の上方にはこの前記集塵室４３を開閉自在に閉鎖する集塵室蓋４４が設けられており、この集塵室４３内には塵埃を捕集する集塵袋４５が着脱自在に具備されている。
【０００３】
前記ファンモータ４２を収納するファンモータ室４６と前記集塵室４３を仕切る仕切壁４７には連通口４８が設けられており、前記ファンモータ室４６と前記集塵室４３とが連通するようになっている。前記仕切壁４７と前記集塵袋４５との間には前記集塵袋４５を叩いて振動を与える振動板４９を備えた除塵手段５０が設けられている。前記ファンモータ室４６側には前記ファンモータ４２に電力を供給する電源コード５１を巻き付けて収納できるコードリール５２を備えたコード巻き取り装置５３が配設されており、前記電源コード５１の引き出し時、もしくは、収納動作させることにより、前記コードリール５２も回転する構成となっている。
【０００４】
前記コードリール５２には略円周状のリブ体５４が形成されており、この前記リブ体５４は前記コードリール５２に形成された突起リブ５５の両端とつながった形状で、複数個形成し、前記コードリール５２の外周の内側に配設されている。前記コード巻き取り装置５３の前記コードリール５２は隔壁５６に軸支されており、この前記隔壁５６には前記コードリール５２の回転を制止および開放させるブレーキレバー５７を回動自在に軸支している。
【０００５】
前記ブレーキレバー５７と前記隔壁５６により隔てられた反対側の前記コードリール５２近傍に前記ブレーキレバー５７とほぼ同じ高さで回動軸５８を形成した回転レバー５９を回動自在に軸支している。前記回転レバー５９には前記コードリール５２に形成した前記突起リブ５５と当接する当接部６０を略円弧状に形成して設け、前記振動板４９に振動を与える摺動レバー６１を摺動させる摺動操作部６２と前記突起リブ５５との当接を解除する当接解除部６３を形成している。
【０００６】
前記当接部６０と前記突起リブ５５は前記隔壁５６に開口した窓部６４を通して当接する構成とし、前記当接部６０が前記リブ体５４または前記突起リブ５５に当接する方向へ前記回転レバー５９を付勢する当接バネ６５を前記摺動操作部６２近傍に設けている。
【０００７】
前記摺動レバー６１は、一端に前記回転レバー５９に設けた前記摺動操作部６２に係合する係合部６６を、前記摺動操作部６２を動作方向の前後で挟む形状で形成し、他端に前記振動板４９に振動を加える振動伝達部６７を形成している。
【０００８】
前記仕切壁４７には前記摺動レバー６１を通す開口部６８を設け、前記摺動レバー６１の前記振動伝達部６７を覆い、且つ前記振動伝達部６７と圧入固定する圧入固定部６９を形成した覆部材７０を前記開口部６８に保持固定している。
【０００９】
前記隔壁５６には前記回転レバー５９および前記摺動レバー６１を覆うカバー体７１を保持固定している。前記カバー体７１は前記隔壁５６と同様に前記回転レバー５９を軸支する軸受け部７２を形成し、前記回転レバー５９を付勢している前記当接バネ６５を保持している。
【００１０】
一方、前記集塵室４３内の前記仕切壁４７に設けた前記連通口４８の前に前記振動板４９を軸支した保持枠７３を設け、前記下ケース４０に設けた挿入部７４に着脱自在にセットされている。前記振動板４９の回動軸７５は前記保持枠７３の略中央高さ位置に軸支している。前記振動板４９には前記摺動レバー６１からの振動を受ける振動板動作部７６を設け、前記振動板動作部７６の略鉛直線上に前記振動板４９を前記仕切壁４７側に付勢する振動バネ７７を前記保持枠７３との間に備えている。前記回転レバー５９に形成した前記当接部６０と、前記摺動レバー６１と、前記振動板４９に形成した前記振動板動作部７６は略一直線上に配置している。
【００１１】
前記振動板４９の前記集塵袋４５に振動を加え、除塵する除塵部７８を前記振動板４９の上端に複数個形成し、面当たりするように幅広い面を設けている。
【００１２】
前記電源コード５１を引き出した時、前記コードリール５２に形成された前記突起リブ５５も回動し、前記当接部６０が前記突起リブ５５に乗り上げると、前記回転レバー５９が回転して前記摺動操作部６２が移動し、前記摺動操作部６２が前記摺動レバー６１の係合部を押して前記摺動レバー６１が前記掃除機本体３９後方へ摺動する。摺動した前記振動伝達部６７とともに前記覆部材７０の前記圧入固定部６９も後方へ移動し、前記振動板４９は前記振動板動作部７６への押圧力がなくなるため、前記振動バネ７７の付勢力により後方へ傾く。前記当接部６０が前記突起リブ５５を乗り越すと衝撃力を持って前記回転レバー５９が回動し、元の位置に戻るため前記摺動レバー６１が連動する前記覆部材７０と共に前方に素早く摺動し、前記振動板４９の前記振動板動作部７６へ衝突すると、前記振動板４９は前記集塵袋４５の方へ衝撃力を持って移動し、前記集塵袋４５に振動を加えることで前記集塵袋４５の内部に付着している塵埃を叩き落すことができ、吸引風の低下を減少させて集塵性能を向上できる（例えば、特許文献１参照）。
【特許文献１】特開２００８−２８９７５４号公報
【発明の開示】
【発明が解決しようとする課題】
【００１３】
しかしながら上記従来の電気掃除機の構成では、前記集塵袋４５にある程度塵埃が詰まった状態になると、前記集塵袋４５が膨らんでゆき、前記集塵袋４５の膨張力が前記振動バネ７７の付勢力を超えた時点で前記振動板４９を後方に押し付ける現象が発生する。そうなると、それ以降は前記振動板４９は常に後方へ押し付けられた状態のままであり、前記電源コード５１を引き出しても、前記振動板４９は後方に傾いたまま動作しなくなるので、前記集塵袋４５の除塵ができなくなり、早期風量低下による集塵性能の低下をいう問題が発生していた。
【００１４】
また、前記振動板４９部位についても前記振動バネ７７、前記保持枠７３等の複数の部品の組み合わせで形成されているため、製造コストの面からも問題があった。また、廉価機種等で除塵装置を搭載しない機種に展開する場合は、コストのかかる前記振動板４９のユニットではなく、別部品で前記保持枠７３を形成する必要があり、機種によって使用する部品を区分しなければならないという問題点があった。
【００１５】
本発明は上記課題を解決するもので、使用性に優れた電気掃除機を提供することを目的としている。
【課題を解決するための手段】
【００１６】
上記課題を解決するために本発明は、塵埃を吸引するためのファンモータと、前記ファンモータに電力を供給する電源コードと、前記電源コードを巻きつけたコードリールと、前記コードリールを回転自在に保持した隔壁と、吸引した塵埃を捕集する集塵袋と、前記集塵袋を着脱自在に収納できる集塵室と、前記集塵袋に付着した塵埃を除塵するための、前記電源コードの引き出し時に回転する前記コードリールに連動して周期的に摺動する回転レバーと、前記回転動レバーに連動して周期的に動作し前記集塵袋に振動を加える振動板と、前記回転レバーに略連結し前記振動板に対し前後方向に周期的に突出陥没を繰り返す摺動レバーで構成された除塵手段を備え、前記電源コードを引き出した時に前記摺動レバーが周期的に前記振動板を前方に押す方向に突出させる方向に動作させることにより、前記集塵袋に塵埃が詰まった状態でも、前記電源コードを引き出すことで、前記摺動レバーが前方へ突出するため、前記振動板が前記集塵袋を前方に圧縮させながら前記集塵袋を叩いて前記集塵袋の内側の塵埃を落とすことができ、塵埃圧縮による集塵容量の拡大および風量低下防止による高性能維持を実現させた使用性に優れた電気掃除機を提供することができる。
【発明の効果】
【００１７】
本発明は、使用性に優れた電気掃除機を提供することができる。
【発明を実施するための最良の形態】
【００１８】
第１の発明は、塵埃を吸引するためのファンモータと、前記ファンモータに電力を供給する電源コードと、前記電源コードを巻きつけたコードリールと、前記コードリールを回転自在に保持した隔壁と、吸引した塵埃を捕集する集塵袋と、前記集塵袋を着脱自在に収納できる集塵室と、前記集塵袋に付着した塵埃を除塵するための、前記電源コードの引き出し時に回転する前記コードリールに連動して周期的に摺動する回転レバーと、前記回転動レバーに連動して周期的に動作し前記集塵袋に振動を加える振動板と、前記回転レバーに略連結し前記振動板に対し前後方向に周期的に突出陥没を繰り返す摺動レバーで構成された除塵手段を備え、前記電源コードを引き出した時に前記摺動レバーが周期的に前記振動板を前方に押す方向に突出させる方向に動作させることにより、前記集塵袋に塵埃が詰まった状態でも、前記電源コードを引き出すことで、前記摺動レバーが前方へ突出するため、前記振動板が前記集塵袋を前方に圧縮させながら前記集塵袋を叩いて前記集塵袋の内側の塵埃を落とすことで塵埃圧縮による集塵容量の拡大および風量低下防止による高性能維持を実現させた使用性に優れた電気掃除機を提供することができる。
【００１９】
第２の発明は、前記回転レバーを前記隔壁に回転自在に保持させたことより、部品点数を削減することができる安価で生産性に優れた電気掃除機を提供することができる。
【００２０】
第３の発明は、前記回転レバーが前記コードリールと当接する当接部の動作軌跡上に前記回転レバーの当接部が略上方へ逃げることを防止する略円弧上のガイド部を前記隔壁上に形成したことで、急激なコード巻き込み制御時に前記回転レバーが前記コードリールから外れることを防止することができる使用性に優れた電気掃除機を提供することができる。
【００２１】
第４の発明は、前記振動板の略下部を前記集塵室内部の振動板取付部に保持固定させたことにより、除塵機能付の製品では前記振動板の弾性を利用して、略上方のみを振動可能にすることで対応し、また廉価機種等で除塵装置を搭載しない機種に展開する場合も同一部品を前記集塵室内部に保持固定することで対応できるため、部品の標準化を図ることができる生産性に優れた電気掃除機を提供することができる。
【００２２】
第５の発明は、前記集塵室蓋を閉めた際に、前記振動板の上端部に前記集塵室蓋に形成
したリブを接触させることにより、前記振動板を中途半端な位置に取り付けた際も前記集塵室蓋を閉めることで前記リブが前記振動板の上端を押し、前記振動板を正規の位置に是正させることができる使用性に優れた電気掃除機を提供することができる。
【００２３】
第６の発明は、前記振動板の略下部に略矢印形状の突起と、前記振動板取付部に前記突起の接触を回避するための溝部を有することにより、前記振動板の挿入方向を視覚で訴求できると共に、前記振動板の逆入れ等の誤挿入防止も行うことができる使用性に優れた電気掃除機を提供することができる。
【００２４】
第７の発明は、前記振動板には前記集塵袋に接触するための複数の除塵リブを備え、前記振動板の略中央部ほど前記除塵リブの高さを増したことにより、前記集塵袋に蓄積した塵埃を略中央部から横方向に圧縮させることにより、吸気が通る前記集塵袋の略中央部分に塵埃が蓄積されにくくなり吸気風量低下を抑えることができるため、高性能を持続させた使用性に優れた電気掃除機を提供することができる。
【００２５】
（実施の形態１）
本発明の第１の実施の形態について図１〜図７を用いて説明する。図１〜図７に示す掃除機本体１は、下ケース２と上ケース３とで外郭を構成し、この前記掃除機本体１後方には塵埃を吸引するためのファンモータ４（図示せず）が配設されている。前記掃除機本体１の前方側には集塵室５が形成され、前記集塵室５の上方にはこの前記集塵室５を開閉自在に閉鎖する集塵室蓋６が設けられており、この集塵室５内には塵埃を捕集する集塵袋７が着脱自在に具備されている。前記ファンモータ４を収納するファンモータ室８と前記集塵室５を仕切る仕切壁９には連通口１０が設けられており、前記ファンモータ室８と前記集塵室５とが連通するようになっている。
【００２６】
前記仕切壁９と前記集塵袋７との間には前記集塵袋７を叩いて振動を与える振動板１１を備えた除塵手段１２が設けられている。前記ファンモータ室８側には前記ファンモータ４に電力を供給する電源コード１３を巻き付けて収納できるコードリール１４を備えたコード巻き取り装置１５が配設されており、前記電源コード１３の引き出し時、もしくは、収納動作させることにより、前記コードリール１４も回転する構成となっている。
【００２７】
前記コードリール１４には略円周状のリブ体１６が形成されており、この前記リブ体１６は前記コードリール１４に形成された突起リブ１７の両端とつながった形状で、複数個形成し、前記コードリール１４の外周の内側に配設されている。前記コード巻き取り装置１５の前記コードリール１４は隔壁１８に軸支されており、この前記隔壁１８には前記コードリール１４近傍に回動軸１９を形成し、回転レバー２０を回動自在に軸支している。
【００２８】
前記回転レバー２０には前記コードリール１４に形成した前記突起リブ１７と当接する当接部２１を略円弧状に形成して設け、前記振動板１１に振動を与える摺動レバー２２を摺動させる摺動操作部２３と、前記突起リブ１７との当接を解除する当接解除部２４を形成している。
【００２９】
前記当接部２１と前記突起リブ１７は前記隔壁１８に開口した窓部２５を通して当接する構成とし、前記当接部２１が前記リブ体１６または前記突起リブ１７に当接する方向へ前記回転レバー２０を付勢する当接バネ２６を前記摺動操作部２３近傍に設けている。
【００３０】
また、前記隔壁１８の前記回転カバーの当接部２１の動作軌道上に前記回転レバー２０の当接部２１が上方へ逃げることを防止する略円弧状のガイド部２７を前記窓部２５近傍に形成している。
【００３１】
前記摺動レバー２２は、一端に前記回転レバー２０に設けた前記摺動操作部２３に係合する係合部２８を、前記摺動操作部２３を動作方向の前後で挟む形状で形成し、他端に前記振動板１１に振動を加える振動伝達部２９を形成している。
【００３２】
前記仕切壁９には前記摺動レバー２２を通す開口部３０を設け、前記摺動レバー２２の前記振動伝達部２３を覆い、且つ前記振動伝達部２３と圧入固定する圧入固定部３１を形成した覆部材３２を前記開口部３０に保持固定している。
【００３３】
一方、前記集塵室５内の前記仕切壁９に設けた前記連通口１０の前では前記振動板１１が前記下ケース２に設けた振動板取付部３３に着脱自在にセットされている。前記振動板１１には前記摺動レバー２２からの振動を受ける振動板動作部３４を設け、前記回転レバー２０に形成した前記当接部２１と、前記摺動レバー２２と、前記振動板１１に形成した前記振動板動作部３４は略一直線上に配置している。
【００３４】
前記振動板１１の前記集塵袋７に振動を加え、除塵する除塵リブ３５を前記振動板１１上に複数個形成しており、前記集塵室蓋６から前記振動板１１の上端に接触する位置にリブ３６を設けている。前記振動板１１の略下部に略矢印形状の突起３７と、前記振動板取付部３３に前記突起３７の接触を回避するための溝部３８を形成している。
【００３５】
以上のように構成された電気掃除機について、以下その動作、作用を説明する。図２に示すように、前記電源コード１３を引き出した時、前記コードリール１４に形成された前記突起リブ１７も回動し、前記当接部２１が前記突起リブ１７に乗り上げると、前記回転レバー２０が回転して前記摺動操作部２３が移動し、前記摺動操作部２３が前記摺動レバー２２の係合部２８を押して前記摺動レバー２２が前記掃除機本体１前方へ摺動する。摺動した前記振動伝達部２９とともに前記覆部材３２の前記圧入固定部３１も前方へ移動し、前記振動板１１は衝撃力を伴って前方へ押される。
【００３６】
前記当接部２１が前記突起リブ１７を乗り越すと前記回転レバー２０が回動し、元の位置に戻るため前記摺動レバー２２が連動する前記覆部材３２と共に後方に素早く摺動し、前記振動板１１が自身の弾性により元の位置に戻る。この動作の繰り返しにより、前記集塵袋７に圧縮と振動を加えることで前記集塵袋７の内部に付着している塵埃を叩き落すと同時に前記集塵袋７に蓄積した塵埃を圧縮させることができるため、吸引風の低下を減少させて集塵性能を向上させると同時に集塵容量の拡大も実現できる使用性に優れた電気掃除機を提供するものである。
【００３７】
図３に示すように、前記回転レバー２０を前記隔壁１８上に設けた前記回動軸１９に回転自在に外れないように保持させたことより、従来必要であった前記回転レバー２０周囲を覆うためのカバー体等の部品を削減することができるため、安価で生産性に優れた電気掃除機を提供することができる。
【００３８】
図１、図２に示すように、前記回転レバー２０が前記コードリール１４と当接する前記当接部２１の動作軌跡上に前記回転レバー２０の当接部２１が略上方へ逃げることを防止する略円弧上の前記ガイド部２７を前記隔壁１８上に形成したことで、急激なコード巻き込み制御時に前記回転レバー２０の前記当接部２１が前記突起リブ１７上をジャンピングすることを防止することができる使用性に優れた電気掃除機を提供することができる。
【００３９】
また、前記振動板１１の略下部を前記集塵室５内部の振動板取付部３３に保持固定させたことにより、除塵機能付の製品では前記振動板１１の弾性を利用して、略上方のみを振動可能にすることで対応し、また廉価機種等で除塵装置を搭載しない機種に展開する場合も同一部品を前記集塵室５内部に保持固定することで対応できるため、部品の標準化を図
ることができる生産性に優れた電気掃除機を提供することができる。
【００４０】
また、前記集塵室蓋６を閉めた際に、前記振動板１１の上端部に前記集塵室蓋６に形成したリブ３６を接触させることにより、前記振動板１１を中途半端な位置に取り付けた際も前記集塵室蓋６を閉めることで前記リブ３６が前記振動板１１の上端を押し、前記振動板１１を正規の位置に是正させることができる使用性に優れた電気掃除機を提供することができる。
【００４１】
また、図４〜図６に示すように、前記振動板１１の略下部に略矢印形状の突起３７と、前記振動板取付部３３に前記突起３７の接触を回避するための溝部３８を有することにより、前記振動板１１の挿入方向を視覚で訴求できると共に、前記振動板１１の逆入れ等の誤挿入防止も行うことができる使用性に優れた電気掃除機を提供することができる。
【００４２】
また図６に示すように、前記振動板１１に前記集塵袋７に接触するための複数の除塵リブ３５を備え、前記振動板１１の略中央部ほど前記除塵リブ３５の高さを増したことにより、前記集塵袋７に蓄積した塵埃を略中央部から横方向に圧縮させることにより、吸気が通る前記集塵袋７の略中央部分に塵埃が蓄積されにくくなり吸気風量低下を抑えることができるため、高性能を持続させた使用性に優れた電気掃除機を提供することができる。
【産業上の利用可能性】
【００４３】
以上のように、本発明にかかる電気掃除機は安全面に優れた極めて有用なものである。
【図面の簡単な説明】
【００４４】
【図１】本発明の実施の形態１を示す電気掃除機の要部断面図
【図２】同電気掃除機の要部断面図
【図３】同電気掃除機の要部断面図
【図４】同電気掃除機の斜視図
【図５】同電気掃除機の斜視図
【図６】同電気掃除機の斜視図
【図７】同電気掃除機の斜視図
【図８】従来の電気掃除機の要部断面図
【図９】従来の電気掃除機の要部断面図
【図１０】従来の電気掃除機の要部断面図
【図１１】従来の電気掃除機の要部断面図
【図１２】従来の電気掃除機の要部断面図
【符号の説明】
【００４５】
４  ファンモータ
５  集塵室
７  集塵袋
１１  振動板
１２  除塵手段
１３  電源コード
１４  コードリール
１８  隔壁
２０  回転レバー
２２  摺動レバー
【図１】
2010227476.tif 000003
【図２】
2010227476.tif 000004
【図３】
2010227476.tif 000005
【図４】
2010227476.tif 000006
【図５】
2010227476.tif 000007
【図６】
2010227476.tif 000008
【図７】
2010227476.tif 000009
【図１１】
2010227476.tif 000010
【図８】
2010227476.tif 000011
【図９】
2010227476.tif 000012
【図１０】
2010227476.tif 000013
【図１２】
2010227476.tif 000014